(57)【要約】【課題】ラム燃焼初期の着火性を良好に保ちつつ、ラム燃焼中には高飛翔推力を得ることが可能でしかも認識され難いラムロケットを提供する。【解決手段】ラム燃焼室２と、チャンバ７内にガス発生剤６を充填してラム燃焼時にはガス発生剤６を燃焼させて生じる可燃性ガスをラム燃焼室２に供給するガス発生器３を備え、ガス発生器３のガス発生剤６を推進性能及び低視認性を重視した組成の主ガス発生剤６Ａとし、ガス発生器３のチャンバ７内の少なくとも初期燃焼可能な位置に、着火性を重視した組成の副ガス発生剤６Ｂを配置した。【選択図】図１
2005351230.tif 000002
【特許請求の範囲】
【請求項１】
ラム燃焼室と、チャンバ内にガス発生剤を充填してラム燃焼時には上記ガス発生剤を燃焼させて生じる可燃性ガスを上記ラム燃焼室に供給するガス発生器を備えたラムロケットにおいて、上記ガス発生器のガス発生剤を推進性能及び低視認性を重視した組成の主ガス発生剤とし、上記ガス発生器のチャンバ内の少なくとも初期燃焼可能な位置に、着火性を重視した組成の副ガス発生剤を配置したことを特徴とするラムロケット。
【請求項２】
副ガス発生剤が金属添加物を含んでいる請求項１に記載のラムロケット。
【請求項３】
金属添加物をジルコニウム又はマグナリウムとした請求項２に記載のラムロケット。
【請求項４】
チャンバ内に充填した主ガス発生剤の初期燃焼面の少なくとも一部に副ガス発生剤を配置した請求項１〜３のいずれか１つの項に記載のラムロケット。
【請求項５】
チャンバ内において主ガス発生剤を端面燃焼式に充填し、この主ガス発生剤の初期燃焼面としての端面の少なくとも一部に副ガス発生剤を配置した請求項１〜４のいずれか１つの項に記載のラムロケット。
【請求項６】
副ガス発生剤を円柱状に配置した請求項５に記載のラムロケット。
【請求項７】
副ガス発生剤を円筒状に配置した請求項５に記載のラムロケット。
【発明の詳細な説明】
【技術分野】
【０００１】
本発明は、飛翔体の飛翔推力を得るのに利用されるラムロケット（ラムジェットと称することもある。）に関するものである。
【背景技術】
【０００２】
従来、上記したラムロケットとしては、例えば、ラム燃焼室と、このラム燃焼室の前方に位置するガス発生器と、ラム燃焼室の先端部に接続するディフューザと、ラム燃焼室の後端に設けたノズルを備えたものがある。ガス発生器は、ガス発生剤をチャンバ内に充填して成っており、ラム燃焼時には、上記ガス発生剤を燃焼させた際の熱分解で生じる可燃性ガスをラム燃焼室に供給するようになっている。
【０００３】
このラムロケットは、ラム燃焼時において、ディフューザのインレットから流入する空気をラム圧により圧縮した状態でラム燃焼室に導入し、この圧縮された空気とガス発生器から供給される可燃性ガスとを混合して連続燃焼させ、高温の燃焼ガスをノズルから後方に向けて飛翔速度以上の速度で噴出させることにより、飛翔推力を得るようにしている。上記ガス発生器のガス発生剤には、ラム燃焼初期の着火性を向上させるべく金属添加物としてのジルコニウムを含んだ組成のものを使用している。
【特許文献１】特開平５−３４０３０７号公報
【発明の開示】
【発明が解決しようとする課題】
【０００４】
ところが、上記した従来のラムロケットでは、ガス発生器のチャンバ内に充填したガス発生剤が、ラム燃焼初期の着火性を重視するために金属添加物としてジルコニウムを含んだ組成としてあることから、推進性能を必ずしも重視しているとは言えないのに加えて、輝炎（ノズルから噴出する炎）が明るくなって、遠方からでも容易に認識されてしまうという問題を有しており、これらの問題を解決することが従来の課題となっていた。
【０００５】
本発明は、上述した従来の課題に着目してなされたものであって、ラム燃焼初期の着火性を良好に保ちつつ、ラム燃焼中には高飛翔推力を得ることが可能であり、しかも、認識され難い、すなわち、低視認性に優れたラムロケットを提供することを目的としている。
【課題を解決するための手段】
【０００６】
本発明は、ラム燃焼室と、チャンバ内にガス発生剤を充填してラム燃焼時には上記ガス発生剤を燃焼させて生じる可燃性ガスを上記ラム燃焼室に供給するガス発生器を備えたラムロケットにおいて、上記ガス発生器のガス発生剤を推進性能及び低視認性を重視した組成の主ガス発生剤とし、上記ガス発生器のチャンバ内の少なくとも初期燃焼可能な位置に、着火性を重視した組成の副ガス発生剤を配置した構成としたことを特徴としており、このラムロケットの構成を前述した従来の課題を解決するための手段としている。
【発明の効果】
【０００７】
本発明のラムロケットでは、上記した構成としているので、ラム燃焼初期の着火性が良好であるのは勿論のこと、ラム燃焼中における推進性能及び低視認性の向上をも実現することが可能であるという非常に優れた効果がもたらされ、また、例えば、ラム燃焼室に充填したブースタ推進薬の燃焼によりラム燃焼時に至るまでの飛翔推力を得る場合には、ラム燃焼室内に着火源を設ける必要がない分だけブースタ推進薬の充填量を多くすることができると共に、ラム燃焼室の構造の複雑化を避けることが可能であるという非常に優れた効果がもたらされる。
【発明を実施するための最良の形態】
【０００８】
本発明のラムロケットにおいて、主ガス発生剤には、例えば、ＧＡＰ（グリンジルアサイドポリマー）を主成分としてカーボンを含有させたものを用いることができ、一方、副ガス発生剤には、例えば、主ガス発生剤と同じくＧＡＰを主成分として金属添加物を含有させたものを用いることができる。この際、金属添加物として、ジルコニウム又はマグナリウムを用いることが望ましい。
【０００９】
また、本発明のラムロケットにおいて、副ガス発生剤は、チャンバ内に充填した主ガス発生剤の初期燃焼面の少なくとも一部に配置することができ、チャンバ内において主ガス発生剤を端面燃焼式に充填した場合には、この主ガス発生剤の初期燃焼面としての端面の少なくとも一部に副ガス発生剤を配置することができる。
【００１０】
この際、副ガス発生剤の燃焼に伴う輝炎は主ガス発生剤と比べて明るいことから、例えば、主ガス発生剤の初期燃焼面としての端面を覆うべく副ガス発生剤を配置した場合には、副ガス発生剤の燃焼時間を極力短く（０．５秒程度）抑えることが望ましい。
【００１１】
さらに、本発明のラムロケットにおいて、チャンバ内において主ガス発生剤を端面燃焼式に充填した場合には、主ガス発生剤の端面を覆うように副ガス発生剤を配置する構成のほかに、副ガス発生剤を円柱状に配置する構成や、副ガス発生剤を円筒状に配置する構成を採用することができ、このような構成を採用すれば、ラム燃焼中の着火性及び低視認性の双方を維持することができる。
【実施例】
【００１２】
以下、本発明を図面に基づいて説明するが、本発明は以下の実施例に限定されるものではない。
【００１３】
図１は本発明に係わるラムロケットの一実施例を示しており、図１に示すように、このラムロケット１は、ラム燃焼室２と、このラム燃焼室２の前方（図示左方）に位置するガス発生器３と、ラム燃焼室２の先端部に接続するディフューザ４と、ラム燃焼室２の後端に設けたノズル５を備えている。
【００１４】
ガス発生器３は、ガス発生剤６をチャンバ７内に充填して成っており、ラム燃焼時には、ガス発生剤６の熱分解で生じる可燃性ガスを噴射器３ａを介してラム燃焼室２に供給するようになっている。
【００１５】
この場合、ガス発生器３のガス発生剤６は、推進性能及び低視認性を重視した組成、すなわち、ＧＡＰ（グリンジルアサイトポリマー）を主成分としてカーボンを含有させた組成の主ガス発生剤６Ａと、着火性を重視した組成、すなわち、ＧＡＰを主成分として金属添加物を含有させた組成の副ガス発生剤６Ｂとから構成してあり、副ガス発生剤６Ｂは、チャンバ７内において端面燃焼式に充填した主ガス発生剤６Ａの初期燃焼面としての端面６ａを覆うようにして配置してある。
【００１６】
このラムロケット１では、ラム燃焼に必要な飛翔速度を得た段階において、細線矢印に示すように、ディフューザ４のインレット４ａから流入する空気をラム圧により圧縮した状態でポート２ａを通してラム燃焼室２に導入し、この圧縮された空気とガス発生器３から噴射器３ａを介して白抜き矢印に示すようにして供給される可燃性ガスとを混合して連続燃焼させ、高温の燃焼ガスをノズル５から後方に向けて飛翔速度以上の速度で噴出させることにより、飛翔推力を得るようにしている。
【００１７】
このラムロケット１において、着火性を重視した組成の副ガス発生剤６Ｂが、チャンバ７内において端面燃焼式に充填した主ガス発生剤６Ａの初期燃焼面としての端面６ａを覆うようにして配置してあるので、ラム燃焼初期の段階でガス発生剤６の着火が確実に成され、その結果、ガス発生剤６の熱分解で生じる可燃性ガスがラム燃焼室２に確実に供給されることとなる。
【００１８】
そして、ラム燃焼中は、副ガス発生剤６Ｂの燃焼が既に終了していて、ガス発生器３では、端面燃焼式に充填した主ガス発生剤６Ａの端面６ａが徐々に熱分解するので、認識され難い状態で高飛翔推力が継続して得られることとなる。
【００１９】
上記した実施例では、チャンバ７内において主ガス発生剤６Ａを端面燃焼式に充填すると共に、主ガス発生剤６Ａの端面６ａを覆うようにして副ガス発生剤６Ｂを配置する場合を例に挙げて説明したが、これに限定されるものではなく、他の構成として、例えば、図２に一点鎖線で示すように、副ガス発生剤６Ｂを円柱状に配置したり、図２に二点鎖線で示すように、副ガス発生剤６Ｂを円筒状に配置したりしてもよい。
【図面の簡単な説明】
【００２０】
【図１】本発明のラムロケットの一実施例を示す軸心に沿う方向の断面説明図である。（実施例１）
【図２】本発明のラムロケットの他の実施例を示す軸心に沿う方向の断面説明図である。（実施例２）
【符号の説明】
【００２１】
１    ラムロケット
２    ラム燃焼室
３    ガス発生器
６Ａ（６）主ガス発生剤（ガス発生剤）
６Ｂ（６）副ガス発生剤（ガス発生剤）
６ａ  初期燃焼面としての端面
７    チャンバ
【図１】
2005351230.tif 000003
【図２】
2005351230.tif 000004